(57)【特許請求の範囲】
【請求項１】
ベース（２）と、前記ベース（２）に支えられているシートとを有するシート装置（１）であって、前記シートが、背もたれ（３）と、前記背もたれ（３）に近い後方端部と前記背もたれ（３）から遠い前方端部の間に延びているシート本体（４）とを有し、前記シート本体（４）は、ほぼ水平な通常の使用位置とほぼ垂直な起こされた位置との間を、前記シート本体（４）の前方端部近傍の横方向の水平な第１のピボット軸線（Ｘ１）を中心としてピボット運動するように前記ベース（２）上に取付けられ、
前記ベースに接続されている下部（５）と、横方向の水平な第２のピボット軸線（Ｘ２）を中心としてピボット運動するように前記下部（５）にピボット運動可能に取り付けられている上部（６）を有し、
前記背もたれ（３）の前記上部（６）は、前記背もたれ（３）の上部（６）が前記下部（５）に対して自由にピボット運動できるようにするロック解除状態と、第１の起こされた位置と、前記背もたれがほぼ水平な、すなわち「テーブル」の形状をとる第１の折り畳み倒された位置の少なくとも両方において前記背もたれ（３）の前記上部（６）を前記下部（５）に対して動かない状態に保持するのに適しているロック状態との間を動くことができる第１のロック機構（１１）によって前記下部（５）に連結されており、前記背もたれ（３）の前記下部（５）は、第１に、前記第２のピボット軸線（Ｘ２）が第１の高さにある起こされた位置と、第２に、前記第２のピボット軸線（Ｘ２）が前記第１の高さよりも低い第２の位置にある折り畳み倒された位置との間を、横方向の水平な第３のピボット軸線（Ｘ３）を中心としてピボット運動するように前記ベース（２）上にピポット運動するように取り付けられており、前記背もたれ（３）の前記上部（６）は、前記背もたれ（３）の前記下部（５）がその起こされた位置からその折り畳み倒された位置までピボット運動するときに、前記背もたれ（３）の前記下部（５）に対して、その第１の折り畳まれた位置から、ほぼ水平な第２の折り畳み倒された位置までピボット運動するようになっており、前記背もたれ（３）の前記下部（５）は、第１に、少なくとも、前記背もたれ（３）の前記下部（５）がその起こされた位置にあるときに前記背もたれ（３）の前記下部（５）を前記ベース（２）に対してロックするロック状態と、第２に、前記背もたれ（３）の前記下部（５）が前記第３のピボット軸線（Ｘ３）を中心としてピボット運動できるようにするロック解除状態との間を動くことができる第２のロック機構（１０）を介して前記ベース（２）に連結されているシート装置（１）において、
前記背もたれ（３）の前記下部（５）は、前記下部（５）がその起こされた位置からその折り畳み倒された位置に移る間、前記ベース（２）に対して後方にピボット運動するようになっており、
前記第２のロック機構（１０）はそのロック状態に向かって弾性的に付勢されており、かつ前記第２のロック機構（１０）をそのロック解除位置に動かすようになっている取っ手部材（１４）によって操作され、前記背もたれ（３）の前記上部（６）は、前記背もたれ（３）の前記上部（６）がその第１の折り畳み倒された位置からその第２の折り畳み倒された位置に向かって前記背もたれ（３）の前記下部（５）に対してピボット運動しているときに、前記取っ手部材（１４）を、前記第２のロック機構（１０）をロック解除するように移動させるようになっている作動部材に固定されている、
ことを特徴とするシート装置。
【請求項２】
前記背もたれ（３）の前記上部（６）は、前記背もたれ（３）の前記上部（６）が前記ベース（２）に形成されたくぼみ（１９）に引っ込むように、前記第２のピボット軸線（Ｘ２）のまわりを前記背もたれ（３）の前記下部（５）に対してピボット運動するようになっている、請求項１に記載のシート装置。
【請求項３】
前記第１のロック機構（１１）はそのロック状態に向かって弾性的に付勢されおり、かつ操作部材（１４）によってそのロック解除状態に移動することが可能であり、前記第１のロック機構（１１）は、前記背もたれの上部（６）が前記第１の起こされた位置と前記第１の折り畳み倒された位置との間の中間の角度位置にあるときに、前記操作部材（１４）を動かしてもそれと無関係にそのロック解除状態にとどまるようになっている、請求項１または請求項２に記載のシート装置。
【請求項４】
前記背もたれ（３）の前記下部（５）は、前記背もたれ（３）の前記下部（５）が折り畳み倒された位置にあり、かつ前記背もたれ（３）の前記上部（６）がその第２の折り畳み倒された位置にあるときに、前記背もたれ（３）の前記上部（６）を受け入れる空の空間を間に残している２つのサイドプレートを、前記背もたれ（３）の前記上部（６）の各側に有する、請求項１から３のいずれか１項に記載のシート装置。
【請求項５】
前記第１のロック機構（１１）は、前記背もたれ（３）の前記上部（６）がその第１および第２の折り畳み倒された位置の間の中間の角度位置にあるときに、前記取っ手部材（１４）を動かしてもそれと無関係にそのロック解除状態にとどまるようになっている、請求項１から４のいずれか１項に記載のシート装置。
【請求項６】
前記第１のロック機構（１１）は、前記背もたれ（３）の前記上部（６）の第１および第２の折り畳み倒された位置でロックするようになっている、請求項５に記載のシート装置。
【請求項７】
前記第１のロック機構（１１）は、前記背もたれ（３）の前記上部（６）の起こされた位置を、第１の起こされた位置と、さらに後方に傾いている第２の起こされた位置との間で調整できる、請求項１から６のいずれか１項に記載のシート装置。
【請求項８】
前記背もたれ（３）の前記下部（５）は前記背もたれ（３）の前記上部（６）に固定された止め具（４２）を通せるスロットを有し、前記止め具は、前記背もたれ（３）の前記上部（６）がその第２の折り畳み倒された位置とその第１の折り畳み倒された位置の間を戻る間、操作指部（２６）を動かす、請求項１から７のいずれか１項に記載のシート装置。
【発明の詳細な説明】
【０００１】
【発明の属する技術分野】
本発明は、折り畳み式の背もたれを有するシート装置に関する。
【０００２】
特に、本発明は、ベース（例えば、シートのフロア）と、ベースに支えられているシートとを有するシート装置であって、シートが、背もたれと、背もたれに近い後方端部と背もたれから遠い前方端部の間に延びているシート本体とを有し、シート本体は、ほぼ水平な通常の使用位置とほぼ垂直な起こされた位置との間を、シート本体の前方端部近傍の横方向の水平な第１のピボット軸線を中心としてピボット運動するようにベース上に取付けられ、背もたれ自体は、ベースに連結されている下部と、横方向の水平な第２のピボット軸線を中心としてピボット運動するように下部にピボット運動可能に取り付けられている上部を有し、背もたれの上部は、背もたれの上部が下部に対して自由にピボット運動できるようにするロック解除状態と、第１の起こされた位置と、前記背もたれがほぼ水平な、すなわち「テーブル」の形状をとる第１の折り畳み倒された位置の少なくとも両方において背もたれの上部を下部に対して動かない状態に保持するのに適しているロック状態との間を動くことができるロック機構によって、下部に連結されており、背もたれの下部は、第１に、第２のピボット軸線が第１の高さにある起こされた位置と、第２に、第２のピボット軸線が第１の高さよりも低い第２の位置にある折り畳み倒された位置との間を、横方向の水平な第３のピボット軸線中心としてピボット運動可能にベース上にピボット運動するように取り付けられており、背もたれの上部は、背もたれの下部がその起こされた位置からその折り畳まれた位置までピボット運動するときに、背もたれの下部に対して、その第１の折り畳み倒された位置から、ほぼ水平な第２の折り畳み倒された位置までピボット運動するようになっており、背もたれの下部は、第１に、少なくとも、背もたれの下部がその起こされた位置にあるときに背もたれの下部をベースに対してロックするロック状態と、第２に、背もたれの下部が第３のピボット軸線を中心としてピボット運動できるようにするロック解除状態との間を動くことができる第２のロック機構を介してベースに連結されているシート装置に関する。
【０００３】
【従来の技術】
ドイツ特許発明明細書第１９９  ４９  ７５９号には、テーブルを形成するように（図２）、または完全に引っ込められた位置を取るように（図３）折り畳むことができる背もたれを有するそのようなシートの例が記載されている。完全に引っ込めるときは背もたれの下部を前方にピボット運動させる。
【０００４】
【発明が解決しようとする課題】
この種のシートは技術的な操作の点では満足を与えるものである。しかしながら、特に長さ方向に比較的かさばっているという欠点がある。
【０００５】
本発明の具体的な目的は、この欠点を緩和することである。
【０００６】
【課題を解決するための手段】
このために、当該種類のシート装置は、背もたれの下部が、下部がその起こされた位置からその折り畳み倒された位置に移る間、ベースに対して後方にピボット運動するようになっており、第２のロック機構はそのロック状態に向かって弾性的に付勢されており、かつ第２のロック機構をそのロック解除位置に動かすようになっている取っ手部材によって操作され、背もたれの上部は、背もたれの上部がその第１の折り畳み倒された位置からその第２の折り畳み倒された位置に向かって背もたれの下部に対してピボット運動しているときに、前記取っ手部材を、第２のロック機構をロック解除するように移動させるようになっていることを特徴とする。
【０００７】
この構成によって、シートの背もたれを、それが占める空間を最小にするように完全に低くすることができる。
【０００８】
本発明の好適な実施態様では、次の１つまたは２つ以上の構成を使用することができる。
【０００９】
背もたれの上部は、背もたれの上部がベースに形成されたくぼみに引っ込むように、第２のピボット軸線のまわりを背もたれの下部に対してピボット運動するようになっている。
【００１０】
第１のロック機構はそのロック状態に向かって弾性的に付勢されおり、かつ操作部材によってそのロック解除状態に移動することが可能であり、第１のロック機構は、背もたれの上部が第１の起こされた位置と第１の折り畳み倒された位置との間の中間の角度位置にあるときに、操作部材を動かしてもそれと無関係にそのロック解除状態にとどまるようになっている。
【００１１】
背もたれの下部は、背もたれの下部が折り畳み倒された位置にあり、かつ背もたれの上部がその第２の折り畳み倒された位置にあるときに、背もたれの上部を受け入れる空の空間を間に残している２つのサイドプレートを、背もたれの上部の各側に有する。
【００１３】
第１のロック機構は、背もたれの上部がその第１および第２の折り畳み倒された位置の間の中間の角度位置にあるときに、取っ手部材を動かしてもそれと無関係にそのロック解除状態にとどまるようになっている。
【００１４】
第１のロック機構は、背もたれの上部の第１および第２の折り畳み倒された位置でロックするようになっている。
【００１５】
第１のロック機構は、背もたれの上部の起こされた位置を、第１の起こされた位置と、さらに後方に傾いている第２の起こされた位置との間で調整できる。
【００１６】
背もたれの下部は背もたれの上部に固定された止め具を通せるスロットを有し、止め具は、背もたれの前記上部がその第２の折り畳み倒された位置とその第１の折り畳み倒された位置の間を戻る間、操作指部を動かす。
【００１７】
【発明の実施の形態】
次に、本発明の実施の形態について図面を参照して説明する。
【００１８】
種々の図面において、同一の参照符号は全く同じまたは同様の部品を示す。
【００１９】
図１により詳しく示されているシート装置１は、この例では乗物のフロアによって構成されているベース２と、ベース２に支えられているシートとを有している。
【００２０】
シートは、背もたれ３と、背もたれ３近傍の後方端部と背もたれ３から遠い前方端部の間に延びているシート本体４とを有する（「前方」および「後方」という用語はシートを基準とするものであり、乗物内のシートの向きを限定するものはない）。
【００２１】
シート本体４は、前記シート本体４の前方端部近傍の横方向の水平な第１のピボット軸線Ｘ１を中心として、
シート本体４が、それが乗物のフロアとほぼ平行な位置を占める通常の使用位置と、
シート本体４が乗物のフロア２にほぼ垂直な位置を占める起こされた位置と、の間でピボット回転するようにベース２にピボット運動するように取り付けられている。
【００２２】
シート本体４のこの起こされた位置は特に図２と図３に示されている。
【００２３】
また、図１に示されているシートの背もたれ３自体は、ベース２に連結されている下部５と、第１のロック機構１１によって水平な横方向の第２のピボット軸線Ｘ２を中心として下部に蝶番式に取り付けられている上部６とを有する。
【００２４】
背もたれ３の上部６は、パッドとシートカバーに覆われた剛性のあるフレーム１２によって形成されている。
【００２５】
背もたれ３の下部５は、特に金属から作られ、図４に示されている少なくとも１つの後部横材８によって相互に連結されたプレートである２つのサイドプレート７を有する。サイドプレート７のそれぞれは、その底部が、ベース２に固定された支持プレート９を介して、特に溶接、ねじ止め等によって前記ベース２に連結されている。
【００２６】
背もたれ３の下部５は、ベース２に固定された支持プレート９に、横方向の水平な第３のピボット軸線Ｘ３を中心としてピボット運動するように取り付けられており、下部５は少なくと１つのロック機構１０を介して支持プレート９に連結されている。
【００２７】
図１において、乗物用シートはユーザが座れる通常の使用配置で示されており、下部５は乗物のフロアに対してほぼ直角の位置にあり、背もたれ３の上部６はその下部５とほぼ一直線に位置し、第１のロック機構１１がロック状態にあるのでこの形態でロックされており、シート本体４は乗物のフロア２とほぼ平行となる位置にある。
【００２８】
シート１は、この通常の使用位置から始まって、図２に示されてる「テーブル」位置に位置することができる。
【００２９】
この目的のために、シート本体４は乗物のフロア２とほぼ直角な位置をとるように、最初に横方向の水平な第１のピボット軸線Ｘ１のまわりをベース２に対してピボット運動させられる。その後、背もたれ３の上部６は、背もたれ３が折り畳み倒された位置、すなわちほぼ水平なテーブル位置をとるまで、軸線Ｘ２のまわりを前方にピボット運動させられる。
【００３０】
背もたれ３の上部６は、取っ手部材１４に働きかけるユーザによって第１のロック機構１１がロック解除状態になった後でテーブル位置にされる。
【００３１】
背もたれ３の上部６がその折り畳み倒されたテーブル位置に達すると、第１のロック機構１１は、上部６が背もたれ３の下部５に対して動かないようにロック状態に戻る。
【００３２】
第１のロック機構１１の詳細な動作を以下に説明する。
【００３３】
図３は、背もたれ３の下部５が占める別の位置を示す。
【００３４】
シートをこの位置に位置させるために、ユーザは、シート上に位置している取っ手部材１４に、第１のロック機構１１と第２のロック機構１２の両方をロック解除するように働きかけなくてはならない。
【００３５】
第２のロック機構１０は図４と図５に詳細に示されており、背もたれ３の下部５をベース２に対して、より詳細には支持プレート９に対して解除する働きをする。それにより下部５は横方向の水平な第３のピボット軸線Ｘ３のまわりを後方にピボット運動でき、起こされた位置から折り畳まれた位置に行くことができる。
【００３６】
背もたれ３の下部５は、第３の軸線Ｘ３のまわりをピボット運動することによって下げられ、ベース２に形成されたくぼみ１９内に引っ込められる。この動きの間、背もたれ３の上部６は第２のピボット軸線のまわりを下部５に対して前方にピボット運動し（第１のロック機構１１は再びロック解除状態になり）、下部５の２つのサイドプレート７間の位置をとり、それによって第２の折り畳まれた位置を占める。
【００３７】
背もたれ３の上部６が下部５内に折り畳み倒され、この組立体が乗物のフロア２と一直線にくぼみ１９に受け入れられる、と第１のロック機構１１が再びロック状態となり、したがってこの組立体の時を得ない動きをするのを防ぐ。
【００３８】
第２のピボット軸線Ｘ２は、図２（背もたれ３の下部５の起こされた位置）と図３（背もたれ３の折り畳まれた位置）の間に、最初は第１の高さに位置し、次に第１の高さより低い第２の高さに位置することが分かる。
【００３９】
図４は本発明のシート装置の構造を詳細に示している。ここには背もたれ３の上部６内を通るボーデンケーブル１４ａによって第１のロック機構１１を動かす取っ手部材１４が示されており、このボーデンケーブル１４ａはレバー１４ｂを操作し、レバー１４ｂは次にロック機構１１を動かす。
【００４０】
図５に示されているように、第２のロック機構１０は、背もたれ３の下部５を形成するサイドプレート７の一方と一体に形成され、かつ第１に、横方向の水平な軸線Ｘ４のまわりをピボット運動するようにサイドプレート７内に取り付けられている操作リンク２０によって、第２に、支持プレート９と一緒にロックするラッチ２７によって、操作される。前述の操作リンク２０と同じ第２の操作リンク（図には示されていない）がシートの反対側を形成している第２のサイドプレート内に配置されており、この第２のリンクは、ピボット軸線Ｘ４上にある連結バー２０ａによって第１のリンクに連結されている。この第２のリンクは第２のラッチ２７を同時に動かす働きをする。
【００４１】
リンク２０は、支持プレート９に固定されているプレート９ａに蝶番式に取り付けられている連結指部２６を介して、ラッチ２７と協働する。連結指部２６はリンク２０の両端部の一方の端部２３によって動かされ、この端部２３は連結指部２６に固定されている植込ボルト２６ａと接触する。
【００４２】
前記リンク２０の他方の端部２２は、背もたれ３の上部６によって支えられている操作指部２５と協働するために連結機構２４と係合する。
【００４３】
図５および図６に示されている連結機構２４は、操作リンク２０に固定されているピン２４ｂにピボット運動するように取り付けられているリンク２４ａと、前記操作リンク２０に対して直角に突出している止め具２４ｄと、前記リンク２０を貫通して形成され、リンク２４ａに固定され、弾性部材２４ｅの駆動を受けてリンク２４ａを止め具２４ｄに向かって弾性的に付勢するように滑ることができる案内ペグ２４ｃを受け入れるスロット２０ｂとを有する。
【００４４】
背もたれ３の上部６が、（背もたれ３の下部５をピボット軸線Ｘ３のまわりでピボット運動させることによって）第１の水平位置から第２の水平位置に移るときに、操作指部２５はリンク２４ａの一方の面２４ｆに沿って移動し、それによって、リンク２４ａの他方の面２４ｇと止め具２４ｄの間の接触により、操作リンク２０をピボット軸線Ｘ４のまわりにピボット運動させ、ラッチ２７を動かす連結指部２６によって第２のロック機構１０をロック解除させる。この動作は、背もたれ３の上部６がピボット軸線Ｘ２を中心として背もたれ３の下部５に対してピボット運動できるように第１のロック機構１１をロック解除するユーザによる取っ手部材１４の操作の結果として起こる。
【００４５】
図７に示されているロック機構１０は、背もたれ３の下部５をそれ自体がベース２に固定されている支持プレート９に連結するラッチ２７を、ロック状態からロック解除状態に移行させ、再び元に戻させるようになっている。
【００４６】
ラッチ２７は、くぼみ２８の縁の下、すなわち前記くぼみ２８に形成された剛性のある横方向のロッドの下に係合し、したがって掛け金として作用するように、フロア２のくぼみ２８に突き抜けるフックの形にすることもできる。ラッチ２７は、前記操作リンク２０の角度運動の関数として２通りの位置を取ることができる。
【００４７】
フックが、それ自体ベース２に固定されているくぼみ２８に固定される第１の位置と、フックがくぼみ２８から出て、背もたれ３の下部５を第３のピボット軸線Ｘ３のまわりにピボット運動できるようにする第２の位置である。
【００４８】
ラッチ２７は、支持プレート９に固定されたプレート９ａにピボット運動するように取り付けられており、ラッチ２７は横方向の水平な軸線Ｘ６のまわりをピボット運動し、ばね４４によってそのロック解除位置の方へ付勢される。
【００４９】
また、各ラッチ２７は、連結指部２６の位置の関数として２通りの位置を取れるカム４３を有し、前記２通り位置はラッチ２７のロック状態およびロック解除状態にそれぞれ対応している。
【００５０】
静止位置では、カム４３はラッチ２７をそのロック位置に保持する。
【００５１】
作動位置では、連結指部２６に固定されているカム４３は、軸線Ｘ６のまわりを矢印ｆ１の方向にピボット運動するラッチ２７をそのロック解除位置に解放する。
【００５２】
ラッチ２７は、ラッチ２７の突出部４５に押し付けられる掛け金によって再びロックされ、それによってラッチ２７はロック位置まで後方に傾けられ、カム４３が再び係合できるようにする。
【００５３】
ラッチ２７が再ロックされる段階は、シートがその通常の位置に戻されること（１）または背もたれ３の上部６がその第１の折り畳み倒された位置に再び位置すること（図２）に対応している。
【００５４】
背もたれ３の下部５が起こされるとき、図８に示されているように、止め具２４ｄに接しているリンク２４ａは操作指部２５の駆動を受けてピン２４ｂのまわりをピボット運動する。この操作指部２５は、背もたれ３の下部５のサイドプレート７内に作られたスロット４１内でばね４６（特に、図５に示されているコイルばね）によって弾性的に付勢された止め具４２によって、リンク２４ａと接触させられる。
【００５５】
背もたれ３の下部５が再びほぼ垂直になり、第２のロック機構１０のラッチ２７を介して支持プレート９に固定されると、リンク２４ａはピン２４ｂを中心として完全に外れ、したがって操作指部２５を（図６に示されているように）リンク２４ａの反対側に移すことができる。
【００５６】
図９は、第１のロック機構１１をロック解除状態にするヒンジを示している。このヒンジは、例えばフランス特許出願公開明細書第２ ７４０ ４０６号に記載されているタイプのものであり、背もたれ３の下部５に固定されている静止型の第１のチークプレート１８と、背もたれ３の上部６に固定され、水平な第２のピボット軸線Ｘ２のまわりをピボット運動し、静止型のチークプレート１８と一緒に丸いハウジングを形成し、このハウジングの内側に位置する１群の円形状の内向きの歯２９を含んでいる可動型の第２のチークプレート１７と、静止型のチークプレート１８のまわりに圧着され、ハウジングを閉じ、２つのチークプレート１８と１７の外周を互いに相手に対して保持するように可動型のチークプレート１７の一部を覆う金属板のリング３０と、可動型チークプレート１７の内向きの歯２９と協働するのに適した外向きの歯３２を備え、静止型チークプレート１８に形成された案内溝３３の中を半径方向に滑るように案内され、滑る方向が軸線Ｘ２を中心として互いに１２０°づつずれている３つの金属スラグ３１と、軸線Ｘ２のまわりを回転できるように取り付けられ、３つのスラグ３１に作用するカム１５であって、図１に示されている、背もたれ３の傾きを快適な位置をとるように調節できるレバー１１ａによって角度方向に動かすことができ、また、取っ手部材１４によって、スラグ３１の外向きの歯３２が可動型チークプレート１７の内向きの歯２９と協働することによって前記可動型チークプレート１７をロックするロック位置に向かってカム１５がスラグ３１を付勢する静止位置と、前記カム１５がスラグ３１を、外向きの歯３２が可動型チークプレート１７の内向きの歯２９から外れる引込み位置に逆戻りさせ、それにより背もたれ３をほぼ水平な第１の折り畳み倒された位置に達することができるようにする動作位置、すなわちロック解除位置との間で動かすこともできるカム１５と、カム１５をヒンジがロックされるのに対応する、その静止位置に向かって角度的に付勢する、この例では螺旋状に巻かれたブレードによって形成されている３つのばね３４（簡素化のために図９では３つのばねのうちの１つだけが示されている）と、カム１５に固定され、前述のレバー１４ｂに連結されている軸線Ｘ２のシャフト３５であって、シートのユーザがヒンジに働きかけられることを可能にする、図１にごく概略的に示されている取っ手１１ａに連結されているシャフト３５と、カム１５に固定されており、それぞれのスラグ３１から突出しているペグ３７をスラグ３１を半径方向内側に動かすように受け入れることによってカム１５の作動時にヒンジ１１をロック解除するスロット３９を有する操作プレート３８とを有する。
【００５７】
また、
各スラグ３１はスラグ３１から軸線Ｘ２の方向に突出するペグ３６を備え、
可動型チークプレート１７はペグを囲む隆起部を備えた軌道Ｐを含んでいる（図１１参照）。
【００５８】
軌道Ｐは、軸線Ｘ２を中心とする異なる直径を有し、斜線Ｃによって相互に連結されている円弧ＡとＢを含む。
【００５９】
円弧ＡおよびＢの直径は、
より大きな直径の円弧Ａがペグ３６と位置が合っているときは、ペグ３６および対応するスラグ３１がその半径方向の全行程にわたって移動して、背もたれ３の上部６をロックするように歯２９と係合できるように定められ（図１０）、
それに対し、より小さい直径の円弧Ｂがそのようなペグ３６と位置が合っているときは、軌道Ｐが軸線Ｘ２を中心として矢印Ｓの方向に角度方向に十分遠くまで移動させられた後、前記ペグ３６が前記円弧Ｂによって、軸線Ｘ２により近い、外されるヒンジに対応するその非係合位置に半径方向に保持されるように（図１１）に定められている。
【００６０】
これにより、背もたれ３が、軌道Ｐの円弧Ｂが各ペグ３６と半径方向に位置が合っているような傾斜位置にあるときにユーザが取っ手部材１４から手を離したときでさえも、スラグ３１をその非係合位置、すなわちロック解除位置に保持することが可能となる。
【００６１】
背もたれ３の当該角度位置は、ヒンジがロック解除されていることば望まれる、例えば、その起こされた位置からその第１の折り畳み倒された位置（図２）まで折り畳み倒される間の背もたれ３の上部６の行程と、それから、その第１の折り畳まれた位置からその第２の折り畳み倒された位置（図３）まで折り畳み倒される間の背もたれ３の上部６の行程とに対応する角度位置である。
【００６２】
軌道Ｐの円弧Ｂのペグ３６との間の協働によって生じるスラグ３１の半径方向の固定は、円弧Ａが円弧Ｂに替わり、ペグ３６と半径方向に位置が合った位置をとると自ずと自動的に無くなり、これによりペグ３６はその半径方向の行程に沿って最後まで移動することができ、したがってスラグは再び背もたれ３を所定の角度位置にロックできるようになる。
【００６３】
これに対し、背もたれ３の上部６の第１および第２の折り畳まれた位置の間、従動する円弧Ｂはスラグ３１がリング２９によって動かなくなることを防止する。
【００６４】
上述した本発明は数多くの利点を有する。
【００６５】
本発明は、乗物の乗員室からシートを取り外す必要なくほぼ平らな面を有する乗物のフロアを得ることを可能にするものであり、これはシートをこの目的のためにフロアに形成されたくぼみに引っ込ませることだけによって行われ、この機能は、さらに、背もたれの上部をテーブル位置に押すことによって構成される。
【図面の簡単な説明】
【図１】通常の使用位置にある本発明の実施形態を構成する乗物用シートの側面立面図である。
【図２】背もたれの上部がほぼ水平な第１の折り畳み倒された位置を占めている状態にある図１の側面立面図である。
【図３】背もたれの上部がフロアのくぼみに引っ込む第２の折り畳み倒された位置を占めている状態にある図１記載のシートの側面立面図である。
【図４】背もたれの上部を折り畳み倒せるようにする機構を示す図１記載のシートの斜視図である。
【図５】背もたれの下部の斜視図である。
【図６】背もたれの上部と下部の間のヒンジ領域の詳細を示す斜視図である。
【図７】背もたれの下部を乗物のフロアに固定できるようにするロック機構の側面立面図である。
【図８】図３に示された位置にあるときの、背もたれの上部と下部の間のヒンジ領域の詳細を示す斜視図である。
【図９】図１の背もたれ装置に使用されるロック機構の、該ロック機構がロック解除状態で示されている部分断面図である。
【図１０】ロック状態のロック機構を示す、図９と同様の部分断面図である。
【図１１】背もたれの上部が折り畳み倒されるときの、図９のロック機構のロック解除状態を示す図である。
【図１】
0003759907.tif 000002
【図２】
0003759907.tif 000003
【図３】
0003759907.tif 000004
【図４】
0003759907.tif 000005
【図５】
0003759907.tif 000006
【図６】
0003759907.tif 000007
【図７】
0003759907.tif 000008
【図８】
0003759907.tif 000009
【図９】
0003759907.tif 000010
【図１０】
0003759907.tif 000011
【図１１】
0003759907.tif 000012